(57)【要約】【課題】回動軸として丸軸を用いることなく、表示画面を所定の角度傾斜させることが可能な表示画面支持機構を提供する。【解決手段】この表示画面支持機構１は、液晶表示部支持部材２と、台座側支持部材３と、板状に形成された板金製の支持軸４と、液晶表示部支持部材２および台座側支持部材３を支持軸４を回動軸として回動可能に押圧するための板バネ６と、板バネ６による押圧力によって支持軸４が液晶表示部支持部材２および台座側支持部材３から抜け落ちるのを抑制するための抜け止め部材５とを備えている。そして、液晶表示部支持部材２は、支持軸４が挿入される扇形状に形成された穴部２ｄを含むとともに、扇形状の角度範囲（本実施形態では、約６０°）で支持軸４を回動軸として回動可能である。また、台座側支持部材３は、支持軸４が挿入され、支持軸４の回動を規制するように長方形状に形成された穴部３ｄをむ。【選択図】図４
2007193245.tif 000002
【特許請求の範囲】
【請求項１】
表示画面側に設けられる表示画面側支持部材と、台座側に設けられる台座側支持部材とを備えた表示画面支持機構において、
板状に形成された板金製の支持軸と、前記表示画面側支持部材および前記台座側支持部材を前記板状の支持軸を回動軸として回動可能に押圧するためのバネ部材と、前記バネ部材による押圧力によって前記板状の支持軸が前記表示画面側支持部材および前記台座側支持部材から抜けるのを抑制するための抜け止め部材と、前記板状の支持軸に挿入されるとともに、前記表示画面側支持部材と前記抜け止め部材との間に配置される板部材と、前記表示画面側支持部材と前記台座側支持部材との間の摩擦力を増加させるための摩擦部材とをさらに備え、
前記表示画面側支持部材は、前記板状の支持軸が挿入される扇形状に形成された第１穴部を含むとともに、前記扇形状の角度範囲で前記板状の支持軸を回転軸として回動可能であり、
前記台座側支持部材は、前記板状の支持軸が挿入され、前記板状の支持軸の回動を規制するように長方形状に形成された第２穴部を含み、
前記扇形状の根元部により、前記表示画面側支持部材を介して前記表示画面の垂直荷重を受け、
前記抜け止め部材は、板状に形成されるとともに、前記バネ部材による押圧力を厚み方向と直交する方向の端面部で受け、かつ、前記バネ部材により前記表示画面側支持部材および前記台座側支持部材を互いに押圧する際の押圧力を調節可能である、表示画面支持機構。
【請求項２】
板状に形成された板金製の支持軸と、
前記板状の支持軸が挿入される第１穴部を有するとともに、表示画面側に設けられる表示画面側支持部材と、
前記板状の支持軸が挿入される第２穴部を有するとともに、台座側に設けられる台座側支持部材とを備え、
前記板状の支持軸が挿入される前記第１穴部および前記第２穴部のうちの少なくともいずれか一方を扇形状に形成するとともに、前記表示画面側支持部材が前記扇形状の角度範囲で前記板状の支持軸を回動軸として回動可能である、表示画面支持機構。
【請求項３】
前記第１穴部および前記第２穴部のうちのいずれか一方を前記扇形状に形成するとともに、他方を前記板状の支持軸の回動を規制するように長方形状に形成する、請求項２に記載の表示画面支持機構。
【請求項４】
前記扇形状の根元部により、前記表示画面側支持部材を介して前記表示画面の垂直荷重を受ける、請求項２または３に記載の表示画面支持機構。
【請求項５】
前記表示画面側支持部材および前記台座側支持部材を前記板状の支持軸を回動軸として回動可能に押圧するためのバネ部材と、
前記バネ部材による押圧力によって前記板状の支持軸が前記表示画面側支持部材および前記台座側支持部材から抜けるのを抑制するための抜け止め部材とをさらに備える、請求項２〜４のいずれか１項に記載の表示画面支持機構。
【請求項６】
前記板状の支持軸に挿入されるとともに、前記表示画面側支持部材または前記台座側支持部材と前記抜け止め部材との間に配置される板部材をさらに備える、請求項５に記載の表示画面支持機構。
【請求項７】
前記抜け止め部材は、板状に形成されるとともに、前記バネ部材による押圧力を厚み方向と直交する方向の端面部で受ける、請求項５または６に記載の表示画面支持機構。
【請求項８】
前記抜け止め部材は、前記バネ部材により前記表示画面側支持部材および前記台座側支持部材を互いに押圧する際の押圧力を調節可能である、請求項５〜７のいずれか１項に記載の表示画面支持機構。
【請求項９】
前記表示画面側支持部材と前記台座側支持部材との間の摩擦力を増加させるための摩擦部材をさらに備える、請求項２〜８のいずれか１項に記載の表示画面支持機構。
【発明の詳細な説明】
【技術分野】
【０００１】
本発明は、表示画面支持機構に関し、特に、表示画面を所定の角度傾斜させた状態で支持することが可能な表示画面支持機構に関する。
【背景技術】
【０００２】
従来、表示画面を所定の角度傾斜させた状態で支持することが可能な表示画面支持機構が知られている（たとえば、特許文献１〜３参照）。上記特許文献１〜３には、表示画面を台座に対して所定の角度傾斜させるための回動軸として丸軸を用いた表示画面の支持構造が開示されている。
【０００３】
【特許文献１】特開２０００−２０００４８号公報
【特許文献２】実用新案登録第３１０６１８３号公報
【特許文献３】実用新案登録第３１１１７０２号公報
【発明の開示】
【発明が解決しようとする課題】
【０００４】
しかしながら、上記特許文献１〜３に開示されたような、表示画面を所定の角度傾斜させるための回動軸として丸軸を用いる構造では、丸軸の軸方向のずれを防止するために、Ｃリングなどの抜け止め部材を装着するための溝加工などを丸軸の外周に沿って行う必要があり、その結果、回動軸の加工が複雑になるという問題点がある。
【０００５】
この発明は、上記のような課題を解決するためになされたものであり、この発明の１つの目的は、回動軸として丸軸を用いることなく、表示画面を所定の角度傾斜させることが可能な表示画面支持機構を提供することである。
【課題を解決するための手段および発明の効果】
【０００６】
この発明の第１の局面における表示画面支持機構は、表示画面側に設けられる表示画面側支持部材と、台座側に設けられる台座側支持部材とを備えた表示画面支持機構において、板状に形成された板金製の支持軸と、表示画面側支持部材および台座側支持部材を板状の支持軸を回動軸として回動可能に押圧するためのバネ部材と、バネ部材による押圧力によって板状の支持軸が表示画面側支持部材および台座側支持部材から抜けるのを抑制するための抜け止め部材と、板状の支持軸に挿入されるとともに、表示画面側支持部材と抜け止め部材との間に配置される板部材と、表示画面側支持部材と台座側支持部材との間の摩擦力を増加させるための摩擦部材とをさらに備え、表示画面側支持部材は、板状の支持軸が挿入される扇形状に形成された第１穴部を含むとともに、扇形状の角度範囲で板状の支持軸を回転軸として回動可能であり、台座側支持部材は、板状の支持軸が挿入され、板状の支持軸の回動を規制するように長方形状に形成された第２穴部を含み、扇形状の根元部により、表示画面側支持部材を介して表示画面の垂直荷重を受け、抜け止め部材は、板状に形成されるとともに、バネ部材による押圧力を厚み方向と直交する方向の端面部で受け、かつ、バネ部材により表示画面側支持部材および台座側支持部材を互いに押圧する際の押圧力を調節可能である。
【０００７】
この第１の局面による表示画面支持機構では、上記のように、板状に形成された板金製の支持軸を設けるとともに、その板状の支持軸を回動軸として表示画面側支持部材を回動可能に設けることによって、板状の支持軸を回動軸として用いることができる。これにより、回動軸として丸軸を用いることなく、表示画面を所定の角度傾斜させることができる。この場合、板状に形成された板金製の支持軸は、プレス加工により容易に穴加工や形状の加工を行うことができるので、丸軸の外周面に沿って溝加工などを行う場合と異なり、回動軸の加工が複雑になることもない。また、板状の支持軸が挿入される表示画面側支持部材の第１穴部を扇形状に形成するとともに、表示画面側支持部材が扇形状の角度範囲で板状の支持軸を回動軸として回動可能なように構成することによって、回動範囲を規制するための部材を別個に設けることなく、扇形状の第１穴部により、表示画面側支持部材の回動可能な角度範囲を規制することができる。また、表示画面側支持部材の第１穴部を扇形状に形成するとともに、台座側支持部材の第２穴部を板状の支持軸の回動を規制するように長方形状に形成することによって、板状の支持軸が台座側支持部材に対して摺動することがないので、板状の支持軸が摺動することに起因して磨耗するのを抑制することができる。また、扇形状の根元部により、表示画面側支持部材を介して表示画面の垂直荷重を受けるように構成することによって、容易に、表示画面側支持部材を扇形状の根元部を中心に回動させることができる。また、表示画面側支持部材および台座側支持部材を板状の支持軸を回動軸として回動可能に押圧するためのバネ部材を設けることによって、バネ部材による押圧力により、表示画面側支持部材（表示画面）を台座側支持部材（台座）に対して所定の角度傾斜させた状態で支持することができる。これにより、表示画面を所定の角度傾斜させた状態でねじを締め付けることにより表示画面を台座に固定する場合と異なり、表示画面側支持部材（表示画面）を傾斜させるときの操作が煩雑になるのを抑制することができる。
【０００８】
また、第１の局面では、バネ部材による押圧力によって板状の支持軸が表示画面側支持部材および台座側支持部材から抜けるのを抑制するための抜け止め部材を設けることによって、抜け止め部材により、容易に、表示画面側支持部材および台座側支持部材がバネ部材により押圧された状態を保持することができる。また、板状の支持軸に挿入されるとともに、表示画面側支持部材と抜け止め部材との間に配置される板部材を設けることによって、表示画面側支持部材に対して抜け止め部材が摺動することがないので、抜け止め部材が磨耗するのを抑制することができる。また、抜け止め部材を、板状に形成するとともに、バネ部材による押圧力を厚み方向と直交する方向の端面部で受けるように構成することによって、バネ部材の押圧力を、抜け止め部材のうちの強度の高い厚み方向と直交する方向の端面部で受けることができるので、バネ部材の押圧力に起因して抜け止め部材が曲がるのを抑制することができる。また、抜け止め部材を、バネ部材により表示画面側支持部材および台座側支持部材を互いに押圧する際の押圧力を調節可能なように構成することによって、容易に、バネ部材による押圧力に抗して表示画面側支持部材（表示画面）を台座側支持部材（台座）に対して回動させるのに必要な力の大きさを調節することができる。また、表示画面側支持部材と台座側支持部材との間の摩擦力を増加させるための摩擦部材を設けることによって、表示画面側支持部材（表示画面）を台座側支持部材（台座）に対して回動させるのに必要な力の大きさを大きくすることができるので、弱い力により表示画面が台座に対して動いてしまうのを抑制することができる。
【０００９】
この発明の第２の局面における表示画面支持機構は、板状に形成された板金製の支持軸と、板状の支持軸が挿入される第１穴部を有するとともに、表示画面側に設けられる表示画面側支持部材と、板状の支持軸が挿入される第２穴部を有するとともに、台座側に設けられる台座側支持部材とを備え、板状の支持軸が挿入される第１穴部および第２穴部のうちの少なくともいずれか一方を扇形状に形成するとともに、表示画面側支持部材が扇形状の角度範囲で板状の支持軸を回動軸として回動可能である。
【００１０】
この第２の局面による表示画面支持機構では、上記のように、板状に形成された板金製の支持軸を設けるとともに、その板状の支持軸を回動軸として表示画面側支持部材を回動可能に設けることによって、板状の支持軸を回動軸として用いることができる。これにより、回動軸として丸軸を用いることなく、表示画面を所定の角度傾斜させることができる。この場合、板状に形成された板金製の支持軸は、プレス加工により容易に穴加工や形状の加工を行うことができるので、丸軸の外周面に沿って溝加工などを行う場合と異なり、回動軸の加工が複雑になることもない。また、板状の支持軸が挿入される表示画面側支持部材の第１穴部および台座側支持部材の第２穴部のうちの少なくともいずれか一方を扇形状に形成するとともに、表示画面側支持部材が扇形状の角度範囲で板状の支持軸を回動軸として回動可能なように構成することによって、回動範囲を規制するための部材を別個に設けることなく、扇形状の第１穴部または第２穴部により、表示画面側支持部材の回動可能な角度範囲を規制することができる。
【００１１】
上記第２の局面による表示画面支持機構において、好ましくは、第１穴部および第２穴部のうちのいずれか一方を扇形状に形成するとともに、他方を板状の支持軸の回動を規制するように長方形状に形成する。このように構成すれば、表示画面側支持部材の第１穴部が長方形状に形成されている場合には、板状の支持軸が表示画面側支持部材に対して摺動することがないとともに、台座側支持部材の第２穴部が長方形状に形成されている場合には、板状の支持軸が台座側支持部材に対して摺動することがないので、支持軸が摺動することに起因して磨耗するのを抑制することができる。
【００１２】
上記第２の局面による表示画面支持機構において、好ましくは、扇形状の根元部により、表示画面側支持部材を介して表示画面の垂直荷重を受ける。このように構成すれば、容易に、表示画面側支持部材を扇形状の根元部を中心に回動させることができる。
【００１３】
上記第２の局面による表示画面支持機構において、好ましくは、表示画面側支持部材および台座側支持部材を板状の支持軸を回動軸として回動可能に押圧するためのバネ部材と、バネ部材による押圧力によって板状の支持軸が表示画面側支持部材および台座側支持部材から抜けるのを抑制するための抜け止め部材とをさらに備える。このように構成すれば、バネ部材による押圧力により、表示画面側支持部材（表示画面）を台座側支持部材（台座）に対して所定の角度傾斜させた状態で支持することができる。これにより、表示画面を所定の角度傾斜させた状態でねじを締め付けることにより表示画面を台座に固定する場合と異なり、表示画面側支持部材（表示画面）を傾斜させるときの操作が煩雑になるのを抑制することができる。また、抜け止め部材により、容易に、表示画面側支持部材および台座側支持部材がバネ部材により押圧された状態を保持することができる。
【００１４】
上記表示画面支持機構が抜け止め部材を備える構成において、好ましくは、板状の支持軸に挿入されるとともに、表示画面側支持部材または台座側支持部材と抜け止め部材との間に配置される板部材をさらに備える。このように構成すれば、表示画面側支持部材または台座側支持部材に対して抜け止め部材が摺動することがないので、抜け止め部材が磨耗するのを抑制することができる。
【００１５】
上記表示画面支持機構がバネ部材と抜け止め部材とを備える構成において、好ましくは、抜け止め部材は、板状に形成されるとともに、バネ部材による押圧力を厚み方向と直交する方向の端面部で受ける。このように構成すれば、バネ部材の押圧力を、抜け止め部材のうちの強度の高い厚み方向と直交する方向の端面部で受けることができるので、バネ部材の押圧力に起因して抜け止め部材が曲がるのを抑制することができる。
【００１６】
上記表示画面支持機構がバネ部材と抜け止め部材とを備える構成において、好ましくは、抜け止め部材は、バネ部材により表示画面側支持部材および台座側支持部材を互いに押圧する際の押圧力を調節可能である。このように構成すれば、容易に、バネ部材による押圧力に抗して表示画面側支持部材（表示画面）を台座側支持部材（台座）に対して回動させるのに必要な力の大きさを調節することができる。
【００１７】
上記第２の局面による表示画面支持機構において、好ましくは、表示画面側支持部材と台座側支持部材との間の摩擦力を増加させるための摩擦部材をさらに備える。このように構成すれば、表示画面側支持部材（表示画面）を台座側支持部材（台座）に対して回動させるのに必要な力の大きさを大きくすることができるので、弱い力により表示画面が台座に対して動いてしまうのを抑制することができる。
【発明を実施するための最良の形態】
【００１８】
以下、本発明を具体化した実施形態を図面に基づいて説明する。
【００１９】
図１は、本発明の一実施形態による表示画面支持機構が設けられた液晶表示装置の全体構成を示した側面図ある。図２は、図１に示した一実施形態による液晶表示装置の液晶表示部を取り外した状態を示した斜視図である。図３は、図１に示した一実施形態による表示画面支持機構の全体構成を示した斜視図である。図４〜図１１は、図３に示した一実施形態による表示画面支持機構の詳細構造を示した図である。まず、図１〜図１１を参照して、本発明の一実施形態による表示画面支持機構１の構造について説明する。
【００２０】
本発明の一実施形態による表示画面支持機構１は、図１に示すように、液晶表示装置３０の液晶表示部４０を支持するために設けられている。この表示画面支持機構１は、台座５０に取り付けられている。また、表示画面支持機構１は、図１および図２に示すように、液晶表示部４０を台座５０に対してＡ方向およびＢ方向に回動可能に支持している。また、表示画面支持機構１は、液晶表示部４０を台座５０に対して所定の角度傾斜させた状態で支持することが可能なように構成されている。
【００２１】
また、表示画面支持機構１は、図３および図４に示すように、液晶表示部支持部材２と、一対の台座側支持部材３と、板金製の板状の支持軸４と、板金製の抜け止め部材５と、板バネ６と、摩擦部材７と、板金製の圧接板８とを備えている。
【００２２】
ここで、本実施形態では、液晶表示部支持部材２は、図３および図４に示すように、表示部取付部２ａと、一対の回動部２ｂとを含んでいる。また、液晶表示部支持部材２の表示部取付部２ａには、４つのねじ挿入孔２ｃが設けられている。また、液晶表示部支持部材２の一対の回動部２ｂは、表示部取付部２ａの両側端部から、それぞれ、表示部取付部２ａの表面に対して垂直方向に延びるように設けられている。また、図４に示すように、一対の回動部２ｂの下端部近傍には、ぞれぞれ、扇形状の穴部２ｄと、一対の円弧形状の穴部２ｅとが設けられている。なお、液晶表示部支持部材２は、本発明の「表示画面側支持部材」の一例である。また、穴部２ｄは、本発明の「第１穴部」の一例である。
【００２３】
また、扇形状の穴部２ｄは、図４および図８に示すように、板状の支持軸４を挿入するために設けられている。また、扇形状の穴部２ｄは、図１１に示すように、中心角αが約６０°に形成されるとともに、根元部２ｆが上方に配置されるように設けられている。また、扇形状の穴部２ｄの根元部２ｆの長さＬ４は、後述する支持軸４の厚みＴ１（図４参照）とほぼ同じ大きさを有する。これにより、扇形状の穴部２ｄの根元部２ｆが液晶表示部支持部材２を介して液晶表示部４０の垂直荷重を受けるように構成されている。また、液晶表示部支持部材２は、板状の支持軸４に支持された扇形状の穴部２ｄの根元部２ｆを中心にして、扇形状の角度範囲（本実施形態では、約６０°）で回動可能に構成されている。すなわち、板状の支持軸４は、液晶表示部支持部材２の回動軸として機能する。
【００２４】
また、一対の円弧形状の穴部２ｅは、図１１に示すように、後述する圧接板８の係合片８ａを挿入するために設けられている。また、一対の円弧形状の穴部２ｅは、扇形状の穴部２ｄの根元部２ｆを中心とした円上に配置されるように設けられている。
【００２５】
また、本実施形態では、一対の台座側支持部材３は、図３および図４に示すように、それぞれ、台座取付部３ａと、回動部取付部３ｂとを含んでいる。また、台座側支持部材３の台座取付部３ａには、４つのねじ取付孔３ｃが設けられている。また、台座側支持部材３の回動部取付部３ｂは、台座取付部３ａの一方端部から台座取付部３ａの表面に対して垂直方向の上方に延びるように設けられている。また、回動部取付部３ｂには、長方形状の穴部３ｄと、液晶表示部支持部材２の表示部取付部２ｂの一対の穴部２ｅよりも短い円弧長さを有する円弧形状の穴部３ｅとが設けられている。なお、穴部３ｄは、本発明の「第２穴部」の一例である。
【００２６】
また、長方形状の穴部３ｄは、図４および図８に示すように、板状の支持軸４を挿入するために設けられている。また、長方形状の穴部３ｄの短手方向の長さＬ１は、後述する支持軸４の厚みＴ１（図４参照）とほぼ同じ大きさを有する。これにより、長方形状の穴部３ｄは、支持軸４の回動を規制する機能を有している。また、一対の円弧形状の穴部３ｅは、後述する圧接板８の係合片８ａと係合するために設けられている。また、一対の円弧形状の穴部３ｅは、長方形状の穴部３ｄの上端部を中心とした円上に配置されるように設けられている。
【００２７】
また、本実施形態では、板金製の板状の支持軸４は、図３および図４に示すように、一対の当接部４ａと、長方形状の穴部４ｂとを含んでいる。支持軸４の一対の当接部４ａは、支持軸４の長手方向に延びる両側面の後端部に突出するように設けられている。この当接部４ａは、図７および図８に示すように、板バネ６と当接させるために設けられている。また、支持軸４の長方形状の穴部４ｂは、図４および図８に示すように、抜け止め部材５を挿入するために設けられている。また、長方形状の穴部４ｂの短手方向の長さＬ２は、後述する抜け止め部材５の厚みＴ２（図５参照）とほぼ同じ大きさを有する。また、穴部４ｂは、長手方向の長さＬ３を有する。
【００２８】
また、本実施形態では、板金製の抜け止め部材５は、図３〜図５に示すように、板状に形成されているとともに、長手方向に延びる一方側面に当接部５ａと、係合部５ｂおよび５ｃとを含んでいる。また、抜け止め部材５は、板バネ６の押圧力により板状の支持軸４が液晶表示部支持部材２の扇形状の穴部２ｄおよび台座側支持部材３の長方形状の穴部３ｄから抜けるのを抑制するために設けられている。また、抜け止め部材５の当接部５ａは、図５に示すように、挿入方向Ｃと直交するＤ方向（厚み方向と直交する方向）に設けられている。抜け止め部材５の当接部５ａに対応する部分は、支持軸４の穴部４ｂの長手方向の長さＬ３（図４参照）よりも大きい幅Ｗ２（図５参照）を有する。この当接部５ａは、抜け止め部材５を支持軸４の穴部４ｂに挿入する際に、支持軸４の表面と当接することにより抜け止め部材５が支持軸４の穴部４ｂから抜け落ちるのを抑制するために設けられている。
【００２９】
また、抜け止め部材５の係合部５ｂおよび５ｃは、板バネ６の押圧力を受けるとともに、板バネ６により液晶表示部支持部材２および台座側支持部材３を押圧する押圧力を調節することが可能なように構成されている。具体的には、図５に示すように、抜け止め部材５の係合部５ｂは、当接部５ａと隣接するように設けられている。また、抜け止め部材５の係合部５ｃは、段差部５ｄを介して係合部５ｂと隣接するように設けられている。また、抜け止め部材５の係合部５ｂに対応する部分は、抜け止め部材５の当接部５ａに対応する部分よりも小さく、かつ、支持軸４の穴部４ｂの長手方向の長さＬ３（図４参照）よりも小さい幅Ｗ３を有する。また、抜け止め部材５の係合部５ｃに対応する部分は、抜け止め部材５の係合部５ｂに対応する部分よりも小さく、かつ、支持軸４の穴部４ｂの長手方向の長さＬ３（図４参照）よりも小さい幅Ｗ４を有する。これにより、図９に示すように、支持軸４の穴部４ｂに係合部５ｂが配置される場合に比べて、図１０に示すように、支持軸４の穴部４ｂに係合部５ｃが配置された場合には、抜け止め部材５の段差部５ｄの長さ（＝Ｗ３−Ｗ４）分だけ台座側支持部材３から支持軸４の当接部４ａまでの距離が大きくなる。これにより、支持軸４の穴部４ｂに係合部５ｂが配置される場合に比べて、支持軸４の穴部４ｂに係合部５ｃが配置された場合には、板バネ６により液晶表示部支持部材２および台座側支持部材３を押圧する押圧力を小さくすることが可能である。なお、板バネ６により液晶表示部支持部材２および台座側支持部材３を押圧する押圧力の大きさは、液晶表示部支持部材２が支持軸４を回動軸として回動可能であり、かつ、液晶表示部支持部材２を台座側支持部材３に対して所定の傾斜角度で支持することが可能な大きさである。
【００３０】
また、本実施形態では、板バネ６は、図３および図４に示すように、ステンレス鋼からなるとともに、長方形状の穴部６ａを有する。また、板バネ６は、液晶表示部支持部材２および台座側支持部材３を板状の支持軸４を回動軸として回動可能に押圧する機能を有する。この板バネ６の長方形状の穴部６ａは、図４および図８に示すように、支持軸４を挿入するために設けられている。なお、板バネ６は、本発明の「バネ部材」の一例である。
【００３１】
また、本実施形態では、摩擦部材７は、図４に示すように、フェルトや塩化ビニルなどからなるとともに、円形状に形成されている。また、摩擦部材７には、円形状の穴部７ａが設けられ、支持軸４を挿入することが可能なように構成されている。この摩擦部材７は、液晶表示部支持部材２と台座側支持部材３との間の摩擦力を増加させるために設けられている。
【００３２】
また、本実施形態では、板金製の圧接板８は、図３、図４および図６に示すように、円形状に形成されているとともに、一対の係合片８ａと、長方形状の穴部８ｂと、複数の凸部８ｃとを含んでいる。また、圧接板８は、液晶表示部支持部材２と抜け止め部材５との間に配置されてる。また、圧接板８の一対の係合片８ａは、圧接板８の端部から圧接板８の表面に対して垂直方向に突出するように設けられている。また、圧接板８の長方形状の穴部８ｂは、図４および図８に示すように、支持軸４を挿入するために設けられている。また、長方形状の穴部８ｂの短手方向の長さは、支持軸４の厚みＴ１（図４参照）とほぼ同じ大きさを有するとともに、長方形状の穴部８ｂの長手方向の長さは、支持部材４の幅Ｗ１（図４参照）とほぼ同じ大きさを有している。また、圧接板８の複数の凸部８ｃは、係合片８ａが突出する側の表面に、液晶表示部支持部材２と圧接板８との間の摩擦力を増加させるために設けられている。なお、圧接板８は、本発明の「板部材」の一例である。
【００３３】
また、液晶表示部４０は、図１に示すように、液晶画面４１ａを含む液晶モジュール４１と、フロントキャビネット４２と、リアキャビネット４３とを含んでいる。また、液晶表示部４０の液晶モジュール４１は、液晶表示部支持部材２のねじ挿入孔２ｃを介して、ねじ取付孔（図示せず）にねじ６０が締め付けられることにより、液晶表示部支持部材２に取り付けられている。また、リアキャビネット４３には、液晶表示部支持部材２を配置するための切欠部４３ａが設けられている。なお、液晶表示部４０は、本発明の「表示画面」の一例である。
【００３４】
また、台座５０は、図１〜図３に示すように、台座本体部５１と、カバー部材５２と、支持脚５３とを含んでいる。また、台座５０の台座本体部５１には、底面側から台座本体部５１のねじ挿入孔（図示せず）を介して、台座側支持部材３のねじ取付孔３ｃにねじ６１が締め付けられることにより、台座側支持部材３が取り付けられている。また、台座５０のカバー部材５２は、底面側から台座本体部５１のねじ挿入孔５１ａを介して、カバー部材５２のねじ取付孔（図示せず）にねじ（図示せず）が締め付けられることにより、台座本体部５１に取り付けられている。また、カバー部材５２には、液晶表示部支持部材２を配置するための切欠部５２ａが設けられている。また、支持脚５３は、台座本体部５１の底面に取り付けられている。
【００３５】
図１２および図１３は、図３に示した一実施形態による表示画面支持機構の回動動作を説明するための断面図である。図１および図１１〜図１３を参照して、本実施形態による表示画面支持機構の回動動作について説明する。
【００３６】
まず、液晶表示部支持部材２を前方に傾斜させる場合には、図１１に示した液晶表示部支持部材２が台座側支持部材３に対して直立した状態から、液晶表示部支持部材２により支持される液晶表示部４０（図１参照）を把持して矢印Ａ方向に押圧する。これにより、図１２に示すように、液晶表示部支持部材２が扇形状の穴部２ｄの根元部２ｆを中心として矢印Ａ方向に回動される。そして、所定の傾斜角度まで矢印Ａ方向に回動させて、液晶表示部支持部材２を押圧するのを止めることにより、液晶表示部支持部材２が台座側支持部材３に対して所定の傾斜角度で支持される。なお、本実施形態では、図１２に示すように、支持軸４と扇形状の穴部２ｄの一方端面とが当接する３０°のＡ方向の傾斜角度まで液晶表示部支持部材２を回動（傾斜）させることが可能である。
【００３７】
また、液晶表示部支持部材２を後方に傾斜させる場合には、図１１に示した液晶表示部支持部材２が台座側支持部材３に対して直立した状態から、液晶表示部支持部材２により支持される液晶表示部４０（図１参照）を把持して矢印Ｂ方向に押圧する。これにより、図１３に示すように、液晶表示部支持部材２が扇形状の穴部２ｄの根元部２ｆを中心として矢印Ｂ方向に回動される。そして、所定の傾斜角度まで矢印Ｂ方向に回動させて、液晶表示部支持部材２を押圧するのを止めることにより、液晶表示部支持部材２が台座側支持部材３に対して所定の傾斜角度で支持される。なお、本実施形態では、図１３に示すように、支持軸４と扇形状の穴部２ｄの他方端面とが当接する３０°のＢ方向の傾斜角度まで液晶表示部支持部材２を回動（傾斜）させることが可能である。
【００３８】
本実施形態では、上記のように、板状に形成された板金製の支持軸４を設けるとともに、その板状の支持軸４を回動軸として液晶表示部支持部材２を回動可能に設けることによって、板状の支持軸４を回動軸として用いることができる。これにより、回動軸として丸軸を用いることなく、液晶表示部４０を所定の角度傾斜させることができる。この場合、板状に形成された板金製の支持軸４は、プレス加工により容易に穴加工や形状の加工を行うことができるので、丸軸の外周面に沿って溝加工などを行う場合と異なり、回動軸の加工が複雑になることもない。また、板状の支持軸４が挿入される液晶表示部支持部材２の穴部２ｄを扇形状に形成するとともに、液晶表示部支持部材２が扇形状の角度範囲（本実施形態では、約６０°）で板状の支持軸４を回動軸として回動可能なように構成することによって、回動範囲を規制するための部材を別個に設けることなく、扇形状の穴部２ｄにより、液晶表示部支持部材２の回動可能な角度範囲を規制することができる。
【００３９】
また、本実施形態では、液晶表示部支持部材２の穴部２ｄを扇形状に形成するとともに、台座側支持部材３の穴部３ｄを支持軸４の回動を規制するように長方形状に形成することによって、板状の支持軸４が台座側支持部材３に対して摺動することがないので、板状の支持軸４が摺動することに起因して磨耗するのを抑制することができる。
【００４０】
また、本実施形態では、扇形状の穴部２ｄの根元部２ｆにより、液晶表示部支持部材２を介して液晶表示部４０の垂直荷重を受けるように構成することによって、容易に、液晶表示部支持部材２を扇形状の穴部２ｄの根元部２ｆを中心に回動させることができる。
【００４１】
また、本実施形態では、液晶表示部支持部材２および台座側支持部材３を板状の支持軸４を回動軸として回動可能に押圧するための板バネ６を設けることによって、板バネ６による押圧力により、液晶表示部支持部材２（液晶表示部４０）を台座側支持部材３（台座５０）に対して所定の角度傾斜させた状態で支持することができる。これにより、表示画面を所定の角度傾斜させた状態でねじを締め付けることにより表示画面を台座に固定する場合と異なり、液晶表示部支持部材２（液晶表示部４０）を傾斜させるときの操作が煩雑になるのを抑制することができる。
【００４２】
また、本実施形態では、板バネ６による押圧力によって板状の支持軸４が液晶表示部支持部材２および台座側支持部材３から抜けるのを抑制するための抜け止め部材５を設けることによって、抜け止め部材５により、容易に、液晶表示部支持部材２および台座側支持部材３が板バネ６により押圧された状態を保持することができる。
【００４３】
また、本実施形態では、板状の支持軸４に挿入されるとともに、液晶表示部支持部材２と抜け止め部材５との間に配置される圧接板８を設けることによって、液晶表示部支持部材２に対して抜け止め部材５が摺動することがないので、抜け止め部材５が磨耗するのを抑制することができる。
【００４４】
また、本実施形態では、抜け止め部材５を、板状に形成するとともに、板バネ６による押圧力を厚み方向と直交するＤ方向の端面部で受けるように構成することによって、板バネ６の押圧力を、抜け止め部材５のうちの強度の高い厚み方向と直交するＤ方向の端面部で受けることができるので、板バネ６の押圧力に起因して抜け止め部材５が曲がるのを抑制することができる。
【００４５】
また、本実施形態では、抜け止め部材５を、板バネ６により液晶表示部支持部材２および台座側支持部材３を互いに押圧する際の押圧力を調節可能なように構成することによって、容易に、バネ部材６による押圧力に抗して液晶表示部支持部材２（液晶表示部４０）を台座側支持部材３（台座５０）に対して回動させるのに必要な力の大きさを調節することができる。
【００４６】
また、本実施形態では、液晶表示部支持部材２と台座側支持部材３との間の摩擦力を増加させるための摩擦部材７を設けることによって、液晶表示部支持部材２（液晶表示部４０）を台座側支持部材３（台座５０）に対して回動させるのに必要な力の大きさを大きくすることができるので、弱い力により液晶表示部４０が台座５０に対して動いてしまうのを抑制することができる。
【００４７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４８】
たとえば、上記実施形態では、液晶表示装置に表示画面支持機構を設ける例を示したが、本発明はこれに限らず、有機ＥＬ表示装置などの液晶表示装置以外の表示装置に表示画面支持機構を設けるようにしてもよい。
【００４９】
また、上記実施形態では、台座側支持部材の穴部を長方形状に形成するとともに、液晶表示部支持部材の穴部を扇形状に形成し、扇形状の根元部を上方に配置する例を示したが、本発明はこれに限らず、液晶表示部支持部材の穴部を長方形状に形成するとともに、台座側支持部材の穴部を扇形状に形成し、扇形状の根元部を下方に配置するようにしてもよい。このとき、液晶表示部支持部材を台座側支持部材に対して回動させる場合には、液晶表示部支持部材の長方形状の穴部に挿入される支持軸は、台座側支持部材の扇形状の穴部の根元部を中心として、液晶表示部支持部材と一体的に回動する。
【００５０】
また、上記実施形態では、液晶表示部支持部材２の回動中心が台座５０の内部にある例を示したが、本発明はこれに限らず、図１４および図１５に示した第１変形例の表示画面支持機構７０のように、液晶表示部支持部材７２の回動中心が液晶表示部４０の内部にあってもよい。具体的には、第１変形例の表示画面支持機構７０は、液晶表示部４０の内部に配置される液晶表示部支持部材７２と、台座５０の切欠部５２ａから上方に突出する台座側支持部材７３とを備えている。そして、液晶表示部支持部材７２は、ねじ挿入孔７２ｃが形成された表示部取付部７２ａと、根元部７２ｆを有する扇形状の穴部７２ｄおよび円弧形状の穴部７２ｅが形成された一対の回動部７２ｂとにより構成されている。また、台座側支持部材７３は、ねじ取付孔７３ｃが形成された台座取付部７３ａと、長方形状の穴部７３ｄおよび円弧形状の穴部７３ｅが形成された回動部取付部７３ｂとにより構成されている。この場合、台座側支持部材７３の回動部取付部７３ｂを切欠部５２ａを介して上方へ延びるように設けるとともに、長方形状の穴部７３ｄおよび円弧形状の穴部７３ｅを上端部近傍に設け、穴部７３ｄおよび７３ｅが液晶表示部４０の内部に配置されるように構成されている。
【００５１】
また、上記実施形態では、一対の台座側支持部材３および液晶表示部支持部材２の一対の回動部２ｂに、それぞれ、支持軸４と、抜け止め部材５と、板バネ６と、摩擦部材７と、圧接板８とを設けるようにしたが、本発明はこれに限らず、図１６に示した第２変形例の表示画面支持機構８０のように、一対の台座側支持部材３および液晶表示部支持部材２の一対の回動部２ｂの一方のみに、当接部８４ａを有する支持軸８４と、抜け止め部材５と、板バネ６と、摩擦部材７と、圧接板８とを設けるようにしてもよい。この場合、支持軸８４は、他方の台座側支持部材３の長方形状の穴部３ｄおよび液晶表示部支持部材２の他方の回動部２ｂの扇形状の穴部２ｄにまで延びて挿入されるように構成される。
【００５２】
また、上記実施形態では、抜け止め部材５に係合部５ｂおよび５ｃを設けることにより、板バネ６および抜け止め部材５により液晶表示部支持部材２および台座側支持部材３を押圧する押圧力を調節する例を示したが、本発明はこれに限らず、図１７に示した第３変形例のように、抜け止め部材９５の一方側面に当接部９５ａと傾斜部９５ｂとを設けることにより、板バネ６および抜け止め部材９５の傾斜部９５ｂにより液晶表示部支持部材２および台座側支持部材３を押圧する押圧力を調節するようにしてもよい。
【図面の簡単な説明】
【００５３】
【図１】本発明の一実施形態による表示画面支持機構が設けられた液晶表示装置の全体構成を示した側面図ある。
【図２】図１に示した一実施形態による液晶表示装置の液晶表示部を取り外した状態を示した斜視図である。
【図３】図１に示した一実施形態による表示画面支持機構の全体構成を示した斜視図である。
【図４】図３に示した一実施形態による表示画面支持機構の全体構成を示した分解斜視図である。
【図５】図３に示した一実施形態による表示画面支持機構の抜け止め部材を示した斜視図である。
【図６】図３に示した一実施形態による表示画面支持機構の圧接板を示した平面図である。
【図７】図３の矢印Ｅ方向から見た状態を部分的に示した図である。
【図８】図３の１００−１００の線に沿った断面図である。
【図９】図３の矢印Ｆ方向から見た状態を部分的に示した図である。
【図１０】図３の矢印Ｆ方向から見た状態を部分的に示した図である。
【図１１】図３の２００−２００の線に沿った断面図である。
【図１２】図３に示した一実施形態による表示画面支持機構の回動動作を説明するための断面図である。
【図１３】図３に示した一実施形態による表示画面支持機構の回動動作を説明するための断面図である。
【図１４】図１に示した一実施形態の第１変形例による表示画面支持機構が設けられた液晶表示装置の全体構成を示した側面図ある。
【図１５】図１４に示した第１変形例による表示画面支持機構の全体構成を示した分解斜視図である。
【図１６】図３に示した一実施形態の第２変形例による表示画面支持機構の全体構成を示した斜視図である。
【図１７】図５に示した一実施形態の第３変形例による表示画面支持機構の抜け止め部材を示した斜視図である。
【符号の説明】
【００５４】
１  表示画面支持機構
２  液晶表示部支持部材（表示画面側支持部材）
２ｄ  穴部（第１穴部）
２ｆ  根元部
３  台座側支持部材
３ｄ  穴部（第２穴部）
４  支持軸
５  抜け止め部材
６  板バネ（バネ部材）
７  摩擦部材
８  圧接板（板部材）
４０  液晶表示部（表示画面）
５０  台座
【図１】
2007193245.tif 000003
【図２】
2007193245.tif 000004
【図３】
2007193245.tif 000005
【図４】
2007193245.tif 000006
【図５】
2007193245.tif 000007
【図６】
2007193245.tif 000008
【図７】
2007193245.tif 000009
【図８】
2007193245.tif 000010
【図９】
2007193245.tif 000011
【図１０】
2007193245.tif 000012
【図１１】
2007193245.tif 000013
【図１２】
2007193245.tif 000014
【図１３】
2007193245.tif 000015
【図１４】
2007193245.tif 000016
【図１５】
2007193245.tif 000017
【図１６】
2007193245.tif 000018
【図１７】
2007193245.tif 000019